(57)【要約】  内側タンポンアプリケータ部材は、第１の末端部および第２の末端部を有する。第２末端部は、多方向性リムを有する。多方向性リムは、第１領域および第２領域を有する。第１領域は、第１方向を向いており、第２領域は、第２方向を向いている。第１方向は、第２方向と実質的に反対側である。
2009501602.tif 000002
【特許請求の範囲】
【請求項１】
ａ．）第１の末端部と、
ｂ．）多方向性リムを有する第２の末端部と、を含む、タンポンアプリケータの内側部材。
【請求項２】
前記多方向性リムは、第１方向に向けられた第１領域と、第２方向に向けられた第２領域と、を含み、
前記第１方向は実質的に前記第２方向の反対である、請求項１に記載のタンポンアプリケータの内側部材。
【請求項３】
前記第１領域は第１形状を有し、前記第２領域は第２形状を有する、請求項１または２に記載のタンポンアプリケータの内側部材。
【請求項４】
前記第１領域の前記第１形状および前記第２領域の前記第２形状は、同じ形状を有する、請求項３に記載のタンポンアプリケータの内側部材。
【請求項５】
前記第１領域の前記第１形状および前記第２領域の前記第２形状は、異なる形状を有する、請求項３に記載のタンポンアプリケータの内側部材。
【請求項６】
前記第１領域の前記第１形状は、弧、直線、楕円形、円形、方形、台形、三角形、錐形、アルファベット文字、および、これらの組み合わせから成る群から選択され、
所望により、前記第２領域の前記第２形状は、弧、直線、楕円形、円形、方形、台形、三角形、錐形、アルファベット文字、および、これらの組み合わせから成る群から選択される、請求項３〜５のいずれか一項に記載のタンポンアプリケータの内側部材。
【請求項７】
前記第１領域および前記第２領域は、波形、花形、楕円形、円形、方形、台形、三角形、錐形、アルファベット文字、および、これらの組み合わせから成る群から選択されるパターンで形成される、請求項１〜６のいずれか一項に記載のタンポンアプリケータの内側部材。
【請求項８】
前記第１領域は、少なくとも略０．２ｍｍの幅を有し、
好ましくは、前記第１領域は、少なくとも略０．１ｍｍの高さを有する、請求項１〜７のいずれか一項に記載のタンポンアプリケータの内側部材。
【請求項９】
前記第２領域は、少なくとも略０．２ｍｍの幅を有し、
好ましくは、前記第２領域は、少なくとも略０．１ｍｍの高さを有する、請求項１〜８のいずれか一項に記載のタンポンアプリケータの内側部材。
【請求項１０】
前記タンポンアプリケータの内側部材は、プラスチック、ワックス、シリコーン、バイオポリマー、セロファン、ニトロセルロース、紙、ラミネート紙、ラッカー、エポキシ、および、これらの組み合わせから成る群から選択される、請求項１〜９のいずれか一項に記載のタンポンアプリケータの内側部材。
【発明の詳細な説明】
【技術分野】
【０００１】
本発明は、挿入可能要素を入れることのできる挿入具に関する。より詳細には、本発明は、多方向性リムを有する内側部材などの生理用挿入具に関する。
【背景技術】
【０００２】
材料を体腔内に放つアプリケータは、典型的に、挿入末端部およびその反対側の把持具末端部を有する管状挿入部材と、収容された材料を放出するために、管状挿入部材内に滑動可能に適合された細長い放出部材とを含む。把持具末端部は、一般に、使用中、アプリケータを体腔内に挿入する間、アプリケータに収容された実質的に取り囲まれた材料を放出する間、および体からアプリケータを引き抜く間、ユーザーがアプリケータをおおむねしっかり保持できる機構を組み込んでいる。
【０００３】
使用中にユーザーがアプリケータを操作する能力を改善するための試みがなされてきた。１つの方法は、把持具末端部におけるアプリケータの直径を有意に減少させることである。別の方法は、管の指把持部に一連のスリットを設け、次いで把持部を圧縮して、直径変化の特異点に肩部を形成することである。これらアプリケータの減少された直径の把持部は、挿入工程中に指が挿入末端部の方へ滑るのを防ぐのに役立つことがあるものの、放出工程中の反対方向における抵抗は殆どまたは全く提供されていない。これは、多くのユーザーが困難を感じる工程である。
【０００４】
先行技術の短所に鑑みて、必要とされているものは、体腔へのアプリケータ挿入中およびアプリケータに収容された材料の放出中のどちらの場合にも、指の滑りに対する実質的な抵抗を有するアプリケータである。
【発明の開示】
【発明が解決しようとする課題】
【０００５】
先行技術は、ユーザーがアプリケータを用いてプレジットを膣内へ挿入しやすくする必要性に取り組んではいるものの、アプリケータの外側部材を膣から取出す際の同等の能力も提供するように構成する必要性は殆ど重視していない。したがって、消費者が容易なアプリケータの挿入およびプレジットの放出のためにアプリケータの多方向性リムを使用し、且つ、膣からの容易な取出しのためにアプリケータの多方向性リムを使用するのを可能にする、少なくとも１つの多方向性構造体を有する別個の多方向性リム区域を備えるタンポンアプリケータの必要性がある。
【課題を解決するための手段】
【０００６】
本発明は、外側部材および内側部材を有するタンポンアプリケータを包含する。外側部材は、挿入末端部および内側部材受入末端部を有する。内側部材受入末端部は、多方向性リムを有する。前記内側部材は、第１の末端部および第２の末端部を有する。第２末端部は、多方向性リムを有する。
【発明を実施するための最良の形態】
【０００７】
本発明は、一般に、その一方の末端部に配置された多方向性リムを有する管状部材を有するデバイスに関するものの、以下の発明を実施するための最良の形態では、具体的には、タンポンアプリケータ、特に好ましい実施形態について言及する。当業者であれば、限定されないが、収集カップ、膨張可能な栓またはカップなど他の生理用品のためのアプリケータ；失禁用具；座薬；鼻用填塞具（nasal packing）など、を包含する本発明に関するその他の用途を思い付くであろう。
【０００８】
図１Ａは、外側部材１２および内側部材１４から形成された本発明によるタンポンアプリケータ１０を開示している。
【０００９】
外側部材１２は、挿入末端部１６および内側部材受入末端部１８を有し、引き抜き紐２２を有するタンポン２０を収容するように配置および構成されている。内側部材受入末端部１８は、多方向性リム２８を含む。
【００１０】
挿入末端部１６は、開放末端部であってもよく、または３〜８個の別々のまたは連結した花弁部３２を有してもよく、これらはアプリケータ１０の挿入および取出し中のユーザーへの快適性を増す。アプリケータ１０の挿入末端部１６が花弁部３２を有するとき、花弁部３２は、膣内へのアプリケータ１０の挿入中にタンポン２０を囲い込み、結果としてユーザーへの快適性を増す。
【００１１】
外側部材１２の把持を強化するために、指把持区域３４が外側部材１２の外側表面上または内に配置されてもよい。一実施形態では、指把持区域３４は、外側部材１２の周囲または外側表面を囲んで配置される。より好ましくは、指把持区域３４は、多方向性リム２８に隣接して配置される。
【００１２】
図２に関して、内側部材１４は、それぞれ外側部材１２（図１Ａ）の挿入末端部１６（図１Ａ）および内側部材受入末端部１８（図１Ａ）におおむね向けられた、第１末端部２４および第２末端部２６を有する。内側部材１４の第１末端部２４は、外側部材１２（図１Ａ）の内側部材受入末端部１８内に滑動可能に導入されるように配置および構成されている。
【００１３】
内側部材１２の第２末端部２６もまた、少なくとも１つの多方向性リム４０を含んでもよい。図２に例示された本発明の代替実施形態では、内側部材１４は、第２末端部２６に関する縁部４２に配置された多方向性リム４０を有してもよい。
【００１４】
図１Ａに関して、本発明のタンポンアプリケータ１０または他の管状デバイスは、挿入されるべき物体を収容するのに有用な管形状または横断面を有し得る。しばしば、収容されたタンポン２０の形状は、外側部材１２の形状を示唆するが、この一般規則から逸脱してもよい。したがって、外側部材１２は、限定されないが、円形、楕円形、多角形（例えば、台形、方形、三角形）などを包含する多数の断面形状を取ってもよい。例えば、円筒形のタンポン２０を方形の外側部材１２の中に収容してもよく、また（米国特許第５，３５０，３７１号（ヴァン・イーテン（Van Iten）ら）に開示されたもののような）台形のタンポン２０および（米国特許第２，３３０，２５７号（ベイリー（Bailey））に開示されたもののような）カップ形のタンポン２０をおおむね円筒形の外側部材１２の中に収容することができる。加えて、外側部材１２は、実質的に細長いこと、湾曲していること、若しくは可撓性であることが可能であり、または当業者に明白な他の形状を取ることも可能である。特定の形状そのものは、本発明の実施にとって重要ではない。
【００１５】
Ａ．多方向性リム
外側部材１２の内側部材受入末端部１８は、少なくとも１つの多方向性リム２８を含んでもよい。その上、内側部材１４の第２末端部２６は、少なくとも１つの多方向性リム４２を含んでもよい。外側部材１２に関する多方向性リム２８のパターンおよび内側部材１４に関する多方向性リム４２のパターンは、同一であっても、実質的に同一であっても、または異なっていてもよい。多方向性リム２８、４２に関するパターンは、パターンが相互に酷似している場合、または１つのパターンが他のパターンと間違えられる可能性がある場合、実質的に同一である。パターン同士が区別できないくらい密接に一致する場合、パターンは「同一」である。図１Ａに関して、多方向性リム２８、４２に関するパターンは同一である。図１Ｂに関して、別の実施形態では、多方向性リム２８、４２に関するパターン／形状は、実質的に同一である。
【００１６】
多方向性リム２８、４２は、外側部材１２、内側部材１４の外側表面より上に突き出していても、多方向性リム２８、４２の先端が外側部材１２の外側表面と位置整合するように構築されて、外側部材１２、内側部材１４の外側表面より下に引っ込んでいても、またはそれらのいずれかの組み合わせであってもよい。多方向性リム２８、４２は、ユーザーの指のための把持強化区域および／またはアプリケータ１０の取出し中に役立つストッパーのためのより大きい表面積を生み出すのに適したあらゆる形体およびあらゆる数で、パターン化されるかまたは形成されてもよい。
【００１７】
ｉ．多方向性リム領域
タンポン２０および著しく半径方向に拡大するタンポン２０は、アプリケータの外側部材１２に加わる力を増大させ、タンポンのユーザーがタンポン２０を膣内へ放出するのを困難にし得る。一旦、消費者が外側部材１２から膣内へタンポン２０を放出したら、膣壁によりアプリケータ１０に加えられる取出し力を容易に克服し、膣からアプリケータ１０を取出すために、消費者が好適なアプリケータ１０の把持能力を有することも同様に重要である。
【００１８】
要するに、多方向性リム２８、４０の結果として、女性は、アプリケータ１０の挿入中、その中に入っているタンポン２０の放出中、およびその後の膣からのアプリケータの取出し中に、本発明のタンポンアプリケータ１０を確実且つ快適に握持し、制御し、位置決めすることができる。その上、多方向性リム２８、４０は、タンポンアプリケータ１０の取出し中にタンポンアプリケータ１０のよりよい制御をもたらす、増大した表面積を提供する。加えて、多方向性リム２８、４０構造は、ユーザーが外側部材１２上の把持を変更することなく挿入および取出し方向の両方向において軸方向に把持する能力を提供するので、ユーザーはアプリケータを容易に操作し、制御し、位置決めすることができる。
【００１９】
各多方向性リム２８、４２は、第１領域３６および第２領域３８を包含する。多方向性リム２８、４２は、外側部材１２の内側部材受入末端部２８から軸方向に延びる縦列または横列を実質的になして配置されている。ユーザーによる多方向性の接触をもたらすために、多方向性リム２８、４２の第１領域３６は、第１の挿入方向において１以上の縦列をなして配置され、また多方向性リム２８、４２の第２領域３８において、取出し方向は第１方向と実質的に反対側であり、１以上の残りの縦列をなしている。結果として、アプリケータと同一方向、即ち、アプリケータの挿入中の挿入方向およびアプリケータ１０の取出し中の取出し方向に配置された多方向性リム２８、４２の増大した表面積により、タンポンユーザーは、多方向性リム２８、４２と自分の（１または複数の）指を自然に接触させる。
【００２０】
ユーザーの指が挿入および取出し方向の両方向において多方向性リム２８、４２と接触するとき、ユーザーは、アプリケータの移動方向に配置されたそれら多方向性リム２８、４２の結果として、その同一方向に強化された把持性を経験するばかりでなく、その反対方向に配置された把持構造体も追加の摩擦を提供し、それにより同様にアプリケータ１０の把持性を強化する。結果として、多方向性把持構造体は、ユーザーが、快適且つ容易にアプリケータを挿入し、アプリケータからタンポン２０を放出し、アプリケータを取出すことを確実にする。
【００２１】
多方向性リム２８、４２の領域３６、３８は、全周を包囲してもよく、または外側部材１２、内側部材１４の周囲の一部を包囲してもよい。非限定的な一例では、多方向性リム２８、４２の領域３６、３８は、内側部材受入末端部２８、第２末端部２６の周囲を囲んで不連続的に離間している。
【００２２】
ｉｉ．多方向性リム領域の数、形状、および、大きさ
多方向性リム２８、４２の領域３６、３８は、多方向性リム２８、４２の領域３６、３８がユーザーと接触する構造体を生み出すことができる限りにおいて、いかなる数、形状、色、または、大きさでもあり得る。いかなる数の多方向性リム２８、４２の区域３６、３８が用いられてもよい。領域３６、３８は、領域３６、３８が実質的に直線に類似していない限りにおいて、あらゆる数であり得る。非限定的な一例では、多方向性リム４２は、略１００の領域３６および略１００の領域３８を有し得る。領域３６、３８は、そのような形状がタンポンアプリケータ１０の挿入中およびタンポンアプリケータ１０の引き抜き中に効果的に働いてユーザーと接触する限りにおいて、いかなる形状でもあり得る。領域３６、３８が示されているものの、これらは、いかなる所望の形状の突き出た区域に置き換えることもできる。領域３６、３８は、弧、楕円形、円形、方形、台形、三角形、錐形、アルファベット文字、および、これらの組み合わせを包含するいかなる既知の三次元的幾何学形状であってもよいが、これらに限定されるものではない。その上、領域３６、３８の機構は、隆起、角錐、環、凹部、穴などの形を取ってもよい。非限定的な一例では、領域３６、３８は、２列のパターンを形成してもよい。別の非限定的な実施例では、図１Ｃに関して、多方向性リム２８の別の実施形態が示される。
【００２３】
本発明の一実施形態では、図１Ａに図示されているように、多方向性リム２８、４２は、弓形に形成された２つまたはそれ以上の領域３６、３８である。この形体では、弓形の領域３６は、第１の挿入方向にあり、また弓形の区域３８は、隣り合った縦列をなして第２の実質的に反対側の第２方向にあり、それにより多方向性リム２８、４２を提供する。各々の縦列において領域３６、３８の方向を互い違いにすることにより、各々の縦列において反対方向に縁部または肩部が形成され、その結果、多方向性リム２８、４２との効果的な接触と、アプリケータ１０の挿入方向および取出し方向の両方向における把持とを提供する。
【００２４】
複数個の区域は、各領域３６、３８が実質的に反対方向である限りにおいて、一直線の領域またはスリット３６、３８であり得る。各々の一直線の領域３６、３８は、各領域３６、３８が実質的に一直線状に横断するように形成される。しかし、領域３６、３８は、実質的に反対方向である。各領域３６、３８は、形成時に外側部材１２の外側表面に関して突き出しているかまたは引っ込んでいることができる。各々の縦列において一直線の領域３６、３８の方向を互い違いにすることにより、領域３６、３８は、各々の縦列において反対方向に形成され、その結果、アプリケータ１０の挿入方向および取出し方向の両方向において効果的な把持を提供する。一直線の領域３６、３８は、弓形の領域３６、３８の実施形態に関して上述したように、把持強化区域を生み出すのに適したあらゆる形体およびあらゆる数で形成されるかまたはパターン化され得ることを理解されたい。
【００２５】
また、一直線の領域と弓形の領域のあらゆる組合わせを有する多方向性リム２８、４２を有する、タンポンアプリケータが形成され得ることを理解されたい。これらの区域は、把持強化区域を生み出すのに適したあらゆる形体およびあらゆる数で形成またはパターン化され得る。
【００２６】
図１Ａは互い違いの軸方向、即ち、挿入および取出し方向に配置された領域３６、３８を有する各縦列を図示しているものの、２つまたはそれ以上の隣接する縦列が、実質的に反対方向に配置された多方向性リム２８、４２を有する２つまたはそれ以上の次の隣接する縦列と同一方向に配置された多方向性リム２８、４２を有するように、縦列に配置してもよい。多方向性リム２８、４２の縦列は、好適な数の多方向性リム２８、４２を互いに反対方向に配置して、挿入および取出し方向の両方向において適切な軸方向把持能力を確保するように、あらゆるパターンで形成され得ることを理解されたい。
【００２７】
多方向性リム２８、４２は、アプリケータ外側部材および／または指把持区域３４の周囲を仮定して、あらゆる数の実用的な縦列をなして形成されてもよいことを理解されたい。ある所与の実質的な縦列をなした各多方向性リム２８、４２は、大きさ、寸法、および／または、形状の点で、その同一の縦列における他の把持構造体とはわずかに異なっていてもよいことも理解されたい。一実施形態では、多方向性リム２８、４２は、略４〜略８の縦列をなして形成された２つまたはそれ以上の多方向性リム２８、４２を有する。より小さい数、即ち、略４つの縦列が使用されるとき、縦列は、正反対に対向する縦列が、同一方向に配置された多方向性リム２８、４２を有するように形成されてもよい。図３Ａに関して、非限定的な一実施形態では、多方向性リム２８および／または多方向性リム４２に関する２つの縦列が示される。そのような配置は、ユーザーの指が、アプリケータの意図された方向に配置された多方向性リム２８、４２と接触するように自然に促す。これは、アプリケータの更なる使いやすさを消費者にもたらす。
【００２８】
図３Ｂに関して、多方向性リム２８、４２の領域３６、３８は、いかなる大きさであってもよい。領域３６、３８の大きさは、質感および／または材料により増大し得る。各領域３６、３８は、好ましくは略０．２ｍｍ〜略６３ｍｍの幅寸法Ｗを有する。より好ましくは、各領域３６、３８は、略３．８１ｍｍ〜略６．３５ｍｍの幅寸法Ｗを有する。加えて、各領域３６、３８は、略０．２５４ｍｍ〜略１．５２４ｍｍ、および、より好ましくは略０．５０８ｍｍ〜略０．７６２ｍｍの高さ寸法Ｈを有する突き出た縁部または肩部を形成し得る。高さ寸法Ｈは、外側部材１２の平面より上またはそれより下で測定される。換言すれば、高さ寸法Ｈは、外側部材１２の外側表面から領域３６、３８の最高点まで測定され得る。別の実施形態では、多方向性リム２８、４０（参照番号４０について図２を参照）の高さ寸法Ｈは、内側／外側部材１２、１４（参照番号１４について図２を参照）から少なくとも略０．１ｍｍだけ、および、より好ましくは少なくとも略１ｍｍだけ、および、最も好ましくは少なくとも略１０ｍｍだけ外向きに突出することができる。この外向きの突出は、タンポンアプリケータのようなアプリケータの少なくとも１つの部材に快適な仕上げ縁部を設けるのに有用である。
【００２９】
図１Ａに関して、多方向性リム２８は、外側部材１２の最小内径よりも大きい最大外径を有し得る。同様に、多方向性リム４２は、内側部材１４の最小内径よりも大きい最大外径を有し得る。あるいは、外側部材１２が円筒形であって、外側部材１２が多角形断面を有する一対の管状部材では、外側部材１２の多方向性リム２８は、その中心軸を通る外側部材１２の最小内寸よりも大きい最大外径を有すべきである。あるいは、内側部材１４が円筒形であって、内側部材１４が多角形断面を有する一対の管状部材では、内側部材１４の多方向性リム４２は、その中心軸を通る内側部材１４の最小内寸よりも大きい最大外径を有すべきである。
【００３０】
特定の管形状は重要ではないものの、多方向性リム４２がストッパーを提供するためには、外側部材１２の少なくとも一部で干渉を生み出さなければならない。多方向性リム４２および／または内側部材１４の長さは、ユーザーがタンポンアプリケータ１０の中身が完全に放出されたときを決定できるようにするためのストッパーを提供し得る。この機構はまた、内側部材１４が外側部材１２を通って押し出されるかまたは引き出され、体腔内に置き去られることを防ぐ。この干渉は、いかなる数の方法でも達成できる。好ましくは、干渉は、多方向性リム４２の少なくとも一部が外側部材１２の内寸により画定される区域より上に突き出なければならないように、多方向性リム４２を構成することによって達成される。例えば、一対の円筒形の管状部材では、内側部材１４の多方向性リム４２は、外側部材１２の最小内径よりも大きい最大外径を有すべきである。あるいは、内側部材１４が円筒形であり、外側部材１２が多角形断面を有する一対の管状部材では、内側部材１４の多方向性リム４２は、その中心軸を通る外側部材１２の最小内寸よりも大きい最大外径を有すべきである。内側部材１４が方形断面を有して、外側部材１２が円筒形である更に別の代替法では、多方向性リム４２の辺の最大長さは、外側部材１２の内径により画定される円の対応する弦よりも長い。用語「直径」は、本明細書および特許請求の範囲で使用するとき、図または本体の中心を通過する弦、つまり物体の中心を通る直線の長さを意味する。
【００３１】
ｉｉｉ．多方向性リムの接合
多方向性リム２８、４０は、当該技術分野において既知のあらゆる方法で、外側部材１２、内側部材１４に接合されるか、または、外側部材１２、内側部材１４に形成され得る。多方向性リム２８、４０はまた、例えば、多方向性リム２８、４０と外側部材１２、内側部材１４をワンピースとして成形することにより、外側部材１２、内側部材１４と一体であり得る。非限定的な一例では、多方向性リム２８、４０は、部品を互いにパチンと嵌める摩擦ばめ、糊付け、および／または、溶融により、外側部材１２、内側部材１４に接合され得る。
【００３２】
Ｂ．タンポンアプリケータの材料
本発明のアプリケータデバイスは、当業者に一般に既知の材料で作製され得る。アプリケータは、射出成形可能なまたは吹込み成形可能なプラスチックのようなプラスチック、米国特許第５，９１０，５２０号（ダビ（Dabi）ら）（参考として本明細書に組み込まれる）に開示されたもののような生分解性プラスチック、または厚紙であってもよい。タンポンアプリケータに用いられる厚紙は、単層の厚紙材料であり得、または様々な層に関する多くの利益をもたらすための複数個の積層された層であり得る。管状要素の形成に有用な厚紙紙料としては、限定されないが、板紙、厚紙、カップ紙料、紙などが挙げられる。積層された厚紙材料としては、挿入および引き抜き中にユーザーへの快適性を増すのに有用な場合のある、プラスチック、ワックス、シリコーンなどの表面層またはコーティングを挙げてもよい。プラスチックコーティングとしては、限定されないが、ポリオレフィン、例えばポリエチレンおよびポリプロピレン、ポリエステル、例えばポリエチレンテレフタレート、ポリカプロラクトン、ポリビニルアルコール、エチレンビニルアセテートコポリマー、セロファンなどを挙げてもよい。
【００３３】
好ましい管状要素材料としては、積層された厚紙が挙げられる。好ましい積層された厚紙としては、プラスチック積層されるかまたはプラスチックコーティングされた厚紙材料が挙げられる。これらのプラスチック積層された厚紙材料は、接着剤層、結合層（tie layers）など、追加的な層を包含する。
【００３４】
タンポンアプリケータに有用な管状要素の典型的な寸法としては、略５〜８ｃｍの長さ、略８〜２０ｍｍの直径、および、略０．１〜０．６ｍｍの厚さが挙げられる。好ましくは、内側管状要素の直径は、図１Ａに示されるように外側管状要素の中の内側管状要素の入れ子式配置を可能にさせるために、外側管状要素の直径よりも小さい。アプリケータは、次の非限定的プロセス：米国特許第５，３４６，４６８号に開示されているような螺旋巻き、米国特許第４，５０８，５３１号に開示されているような回旋巻き、および、米国特許第４，７５５，１６４号に開示されているようにマンドレルの周りでシート形成した後に重なり合った継ぎ目を封止することにより作製され得る。
【００３５】
前述の明細書および図面は、単に本発明の実例に過ぎず、本発明を開示した実施形態に制限することを意図するものではない。当業者に明白な変形および変更は、添付の特許請求の範囲に規定されるような本発明の範囲および本質内であることを意図する。
【００３６】
本発明の「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味または定義が、参考として組み込まれる文献における用語のいずれかの意味または定義と対立する範囲については、本文書におけるその用語に与えられた意味または定義を適用するものとする。
【００３７】
本発明の特定の実施形態を説明し記載してきたが、本発明の趣旨および範囲から逸脱することなく、他の様々な変形および修正を実施できることが、当業者には明白であろう。したがって、本発明の範囲内にあるそのようなすべての変更および修正を、添付の特許請求の範囲で扱うものとする。
【図面の簡単な説明】
【００３８】
【図１Ａ】本発明のタンポンアプリケータの斜視図。
【図１Ｂ】本発明のタンポンアプリケータの代替の実施形態の斜視図。
【図１Ｃ】本発明のタンポンアプリケータの代替の実施形態の斜視図。
【図２】タンポンアプリケータの内側部材の斜視図。
【図３Ａ】本発明のタンポンアプリケータの代替の実施形態の斜視図。
【図３Ｂ】タンポンアプリケータの外側部材の斜視図。
【図１Ａ】
2009501602.tif 000003
【図１Ｂ】
2009501602.tif 000004
【図１Ｃ】
2009501602.tif 000005
【図２】
2009501602.tif 000006
【図３Ａ】
2009501602.tif 000007
【図３Ｂ】
2009501602.tif 000008
【国際調査報告】
2009501602.tif 000009
2009501602.tif 000010